(57)【要約】【課題】腕時計バンドのエッジ部分により、衣類に生ずる擦れ、汗による傷みを緩和する腕時計バンド用カバーを提供する。【解決手段】腕時計バンドをフィルムで巻くように包み込む腕時計バンド用カバー１である。具体的には、腕時計バンド２を巻くように包み込むフィルム４と、腕時計バンド２からフィルム４を着脱できるように、腕時計バンド２に巻かれたフィルム４の端部同士を留め、かつ外すことができる固定部６と、を備える腕時計バンド用カバー１である。これにより、腕時計バンド２のエッジ部分による衣類の擦れを防止する。【選択図】図１
0003162207.tif 000002
【実用新案登録請求の範囲】
【請求項１】
腕時計バンドをフィルムで巻くように包み込む腕時計バンド用カバー。
【請求項２】
腕時計バンドを巻くように包み込むフィルムと、
腕時計バンドから前記フィルムを着脱できるように、腕時計バンドに巻かれたフィルムの端部同士を留め、かつ外すことができる固定部と、を備える腕時計バンド用カバー。
【請求項３】
前記フィルムの端部は、山部及び谷部を有する波形に形成され、
前記固定部は、前記フィルムの端部の山部に設けられることを特徴とする請求項２に記載の腕時計バンド用カバー。
【請求項４】
前記フィルムの少なくとも一部がメッシュ状に形成されることを特徴とする請求項１ないし３のいずれかに記載の腕時計バンド用カバー。
【請求項５】
腕時計とフィルムとの間に水分吸収シートが設けられることを特徴とする請求項１ないし４のいずれかに記載の腕時計バンド用カバー。
【請求項６】
前記フィルムはシリコンゴム製で、厚さが０．８ｍｍ未満であることを特徴とする請求項１ないし５のいずれかに記載の腕時計バンド用カバー。
【考案の詳細な説明】
【技術分野】
【０００１】
本考案は、主に金属製の時計バンドの装着によるＹシャツ等の衣類の袖口の擦れ、汗等による傷みを防止するための腕時計バンド用カバーに関する。
【背景技術】
【０００２】
金属製の腕時計バンドを装着すると、Ｙシャツ等の衣類の袖口が擦れることがある。腕時計バンドが装着される右腕の袖口と腕時計バンドが装着されない左腕の袖口とを比較すると、左腕の袖口の擦れが著しいことがある。時計バンドの金属部品のエッジの部分で袖口が擦れていることが原因である。袖口がすれてしまうと気に入っている衣類も台無しになってしまう。袖口の擦れをなくすためのカフスの先詰めという修理もあるが、何回も繰り返して詰めることはできず、費用もかかってしまう。
【考案の概要】
【考案が解決しようとする課題】
【０００３】
腕時計バンドを装着する場合、衣類の袖口の擦れ、汗等による傷みを緩和するには、衣類の袖口を保護するか、腕時計バンドもしくはそのエッジによる摩擦係数を抑制させるかのどちらかである。
【０００４】
しかし、衣類の袖口を保護するとなると、着脱が容易で、ある程度の運動もしくは衝撃に対応できうるか、という課題がクリアできない。
【０００５】
よって、腕時計バンドもしくはそのエッジによる摩擦係数を抑制させる必要がある。既存の製品には、主にダイバー専用の時計を保護する目的のプロテクタは存在するが、衣類の袖口を腕時計バンドから保護することを目的として、腕時計バンド自体を覆うものは存在しない。
【０００６】
そこで、本考案は、腕時計バンドのエッジ部分により生ずる擦れ、汗による傷みを緩和する腕時計バンド用カバーを提供することをする。
【０００７】
また、腕時計バンド自体を覆うにしても、腕時計バンドの厚みが一定でなく、腕時計バンドは手首に装着した段階で湾曲するので、このような湾曲した腕時計バンドに対応できる工夫が必要になる。運動したときの腕時計バンドのねじれやずれ等にも耐えられるような工夫が必要になる。
【０００８】
そこで、本考案の他の目的は、湾曲した腕時計バンドにしっくりと装着することができる腕時計バンド用カバーを提供することにある。
【課題を解決するための手段】
【０００９】
上記課題を解決するために、請求項１に記載の考案は、腕時計バンドをフィルムで巻くように包み込む腕時計バンド用カバーである。
【００１０】
請求項２に記載の考案は、腕時計バンドを巻くように包み込むフィルムと、腕時計バンドから前記フィルムを着脱できるように、腕時計バンドに巻かれたフィルムの端部同士を留め、かつ外すことができる固定部と、を備えることを特徴とする腕時計バンド用カバーである。
【００１１】
請求項３に記載の考案は、請求項２に記載の腕時計バンド用カバーにおいて、前記フィルムの端部は、山部及び谷部を有する波形に形成され、前記固定部は、前記フィルムの端部の山部に設けられることを特徴とする。
【００１２】
請求項４に記載の考案は、請求項１ないし３のいずれかに記載の腕時計バンド用カバーにおいて、前記フィルムの少なくとも一部がメッシュ状に形成されることを特徴とする。
【００１３】
請求項５に記載の考案は、請求項１ないし４のいずれかに記載の腕時計バンド用カバーにおいて、腕時計とフィルムとの間に水分吸収シートが設けられることを特徴とする。
【００１４】
請求項６に記載の考案は、請求項１ないし５のいずれかに記載の腕時計バンド用カバーにおいて、前記フィルムはシリコンゴム製で、厚さが０．８ｍｍ未満であることを特徴とする。
【考案の効果】
【００１５】
請求項１に記載の考案によれば、腕時計バンドをフィルムで巻くように包み込むので、腕時計バンドのエッジ部分による衣類の擦れを防止することができる。
【００１６】
請求項２に記載の考案によれば、腕時計バンドをフィルムで巻くように包み込むので、腕時計バンドのエッジ部分による衣類の擦れを防止することができる。また、腕時計バンド用カバーの着脱が容易になる。
【００１７】
請求項３に記載の考案によれば、湾曲した腕時計バンドに腕時計バンド用カバーをしっくりと装着することができる。腕時計バンドは手首に巻いて装着するものなので、湾曲しており、且つ腕時計バンドの厚みが一定でない。多少のねじれ、擦れ等の運動も伴うものである。波形のフィルムの端部の山部同士を結合することで、フィルムにかかる力を分散させることができる。
【００１８】
請求項４の考案によれば、汗等の水分でも蒸れないフィルムにすることができる。
【００１９】
請求項５に記載の考案によれば、状況に応じて、例えば夏場の気温の高い時期に着用する場合でも、汗等の水分で蒸れないようにすることができる。
【００２０】
請求項６に記載の考案によれば、腕時計バンドとフィルムとのフィット感を向上させることができる。
【図面の簡単な説明】
【００２１】
【図１】本考案の一実施形態の腕時計バンド用カバーの平面図
【図２】フィルムの両端部をジッパにより結合した状態を示す平面図
【図３】腕時計バンドの長手方向と直交する断面図（図（ａ）はフィルムの山部の断面図を示し、図（ｂ）はフィルムの谷部の断面図を示す）
【図４】腕時計バンドと腕時計バンド用カバーとの間に水分吸収シートを設けた例を示す断面図
【図５】腕時計バンド用カバーの他の例を示す平面図
【図６】腕時計バンド用カバーのさらに他の例を示す平面図
【考案を実施するための形態】
【００２２】
以下、添付図面に基づいて、本考案の実施形態を詳細に説明する。図１は、腕時計バンドの下側に配置される腕時計バンド用カバー１の平面図を示す。
【００２３】
腕時計バンド用カバー１は、腕時計バンドを巻くように包み込むフィルム４と、腕時計バンド２に巻かれたフィルム４の幅方向の端部同士を留め、かつ外すことができる固定部６と、を備える。
【００２４】
フィルム４には、伸縮性のあるメッシュ状になったシリコンゴム製のフィルムが用いられる。フィルム４の厚さは０．５ｍｍ以下で、この実施形態では、０．５ｍｍ程度のものが用いられる。腕時計バンド２の長さ方向のフィルム４の長さは９０ｍｍ程度であり、幅方向の長さは４０ｍｍ程度である。フィルム４は腕時計バンド２の長さ方向の中心線に対して線対称に形成される。
【００２５】
フィルム４の幅方向の両端部は、山部４ａと谷部４ｂを有する波形に形成される。この実施形態では、山部４ｂは３箇所設けられ、谷部４ｂは２箇所設けられる。山部４ａは少なくとも３箇所あればよい。山部４ａには、固定部として凹凸のあるジッパ６が取り付けられる。ジッパ６には、例えばジップロック（登録商標）を用いることができる。ジッパ６は、山部４ａの高さ方向の中心付近に例えば２本ずつ設けられる。ジッパ６は山部４ａのみに設けられていて、腕時計バンド２の長さ方向に間隔を空けて３箇所設けられている。
【００２６】
図２は、フィルム４の幅方向の両端部をジッパ６により結合した状態を示す。腕時計バンド用カバー１を腕時計バンド２に装着するとき、まず、図１に示すように、手首に巻かれ、湾曲している腕時計バンド２の内側に腕時計バンド用カバー１を挿入する。次に、図２に示すように、フィルム４の幅方向の両端部の山部４ａを、腕時計バンド２上に重なるように折り畳む。そして、フィルム４の山部４ａ同士をジッパ６により留める。これにより、腕時計バンド用カバー１が腕時計バンド２に装着される。なお、フィルム４の山部４ａ同士を折り畳んでも、谷部４ｂ同士は折り重なることはなく、谷部４ｂに対応する部分の腕時計バンド２は露出する。
【００２７】
図３は、腕時計バンド２に巻かれた腕時計バンド用カバー１の断面図を示す。図中（ａ）に示すように、腕時計バンド用カバー１を腕時計バンド２に装着すると、山部４ａ同士は折り畳まれて重なる。一方、図中（ｂ）に示すように、谷部４ｂは腕時計バンド２の周囲を囲んではおらす、腕時計バンドの上面が露出する。
【００２８】
腕時計バンド２は腕に装着されていて、頻繁に動くものである。また、腕時計バンド２はフラットではなく、凹凸を持っている。さらに、手首に装着した段階で腕時計バンド２は湾曲している。単に腕時計バンド２をフィルムでカバーしただけでは、フィルムが腕時計バンド２から外れるおそれがある。Ｙシャツとの擦れを防止するために、腕時計バンド２のＹシャツ側の半分のみをカバーしようとしたが、カバーが腕時計バンドから外れてしまった。このため、図３（ａ）に示すように、腕時計バンド用カバー１によって、腕時計バンドの全周を巻くように包み込む必要がある。
【００２９】
また、平面長方形の海苔巻状のフィルムで腕時計バンド２をカバーしようとしたが、動いたときにフィルムがよじれ、ジッパが外れるおそれが生ずる。これを防止するために、フィルム４の幅方向の両端部を波形に形成し、山部４ａ同士のみを結合することとした。部分的に結合することより、フィルム４に作用する力を分散することができ、腕時計バンド２とフィルム４との間のフィット性を高めることができる。このため、フィルムがよじれようとしても、ジッパ６が外れるのを防止することができる。
【００３０】
図４は、腕時計バンド２と腕時計バンド用カバー１との間に、水分吸収シート７として高分子ポリマー製のシート（厚さ１〜２ｍｍ、幅２０ｍｍ、長さ９０ｍｍ程度）を設けた例を示す。水分吸収シート７を設けることで、汗等の水分を吸収することができ、夏場の汗等の水分によりＹシャツの袖口が傷むのを防止することができる。この水分吸収シート７は必要な場合だけ設けられるオプション部品である。
【００３１】
図５は、腕時計バンド用カバーの他の例を示す。この例では、海苔巻状の腕時計バンド用カバー８で腕時計バンド２をカバーしている。あまり運動しないときには、海苔巻状の腕時計バンド用カバー８を用いてもよい。
【００３２】
図６は、腕時計バンド用カバーのさらに他の例を示す。この例では、筒状の腕時計バンド用カバー９で腕時計バンド２をカバーしている。腕時計バンド２に取り付けるときは、伸縮性のある筒状の腕時計バンド用カバーの口を広げ、腕時計バンドの周囲に装着する。筒状に形成されているので、腕時計バンドを外した状態で装着すればよい。
【００３３】
なお、本考案は上記実施形態に限られることはなく、本考案の要旨を変更しない範囲で様々に変更可能である。例えば、メッシュ状のフィルムを用いる替わりに膜状のフィルムを用いてもよい。ジッパには、ジップロック（登録商標）の替わりにマジックテープ（登録商標）を用いてもよい。
【符号の説明】
【００３４】
１，８，９…腕時計バンド用カバー
２…腕時計バンド
４…フィルム
４ａ…山部
４ｂ…谷部
６…ジッパ（固定部）
７…水分吸収シート
【図１】
0003162207.tif 000003
【図２】
0003162207.tif 000004
【図３】
0003162207.tif 000005
【図４】
0003162207.tif 000006
【図５】
0003162207.tif 000007
【図６】
0003162207.tif 000008
【手続補正書】
【提出日】平成22年6月23日(2010.6.23)
【手続補正１】
【補正対象書類名】実用新案登録請求の範囲
【補正対象項目名】全文
【補正方法】変更
【補正の内容】
【実用新案登録請求の範囲】
【請求項１】
腕時計バンドを伸縮性のある筒状のフィルムで巻くように包み込む腕時計バンド用カバー。
【請求項２】
腕時計バンドを巻くように包み込むフィルムと、
腕時計バンドから前記フィルムを着脱できるように、腕時計バンドに巻かれたフィルムの端部同士を留め、かつ外すことができる固定部と、を備えることを特徴とする腕時計バンド用カバー。
【請求項３】
前記フィルムの端部は、山部及び谷部を有する波形に形成され、
前記固定部は、前記フィルムの端部の山部に設けられることを特徴とする請求項２に記載の腕時計バンド用カバー。
【請求項４】
前記フィルムの少なくとも一部がメッシュ状に形成されることを特徴とする請求項１ないし３のいずれかに記載の腕時計バンド用カバー。
【請求項５】
腕時計とフィルムとの間に水分吸収シートが設けられることを特徴とする請求項１ないし４のいずれかに記載の腕時計バンド用カバー。
【請求項６】
前記フィルムはシリコンゴム製で、厚さが０．８ｍｍ未満であることを特徴とする請求項１ないし５のいずれかに記載の腕時計バンド用カバー。
【手続補正２】
【補正対象書類名】明細書
【補正対象項目名】０００９
【補正方法】変更
【補正の内容】
【０００９】
上記課題を解決するために、請求項１に記載の考案は、腕時計バンドを伸縮性のある筒状のフィルムで巻くように包み込む腕時計バンド用カバーである。